(57)【特許請求の範囲】
【請求項１】
投入口より投入された紙幣を識別する紙幣識別ユニットが取り付けられているフレームユニットに、識別された紙幣を収納する紙幣収納部が着脱可能に設けられている紙幣処理装置において、
前記紙幣収納部の両側方からラッチ部がそれぞれ突出状態になっていて前記紙幣収納部を前記フレームユニットに装着したときは前記フレームユニットの縁部を内側に折り曲げ形成した係止部に係止され、互いに内側へスライドされることによってラッチ部がそれぞれ前記係止部から外れる方向に移動する１対のラッチレバーと、
前記ラッチレバーの離間距離にほぼ等しい直径を有するとともに直径方向の両端には前記ラッチレバーがスライドできる量だけカットしたカット部を有する外周形状のロック盤が前記ラッチレバーの間に回転つまみにより回動可能に設けられているロック機構と、
を備え、
前記ロック機構は、第１の回転位置で前記ロック盤が前記ラッチレバーに当接して前記ラッチレバーのラッチ解除の方向への動きをロックし、第２の回転位置で前記ラッチレバーが前記カット部までのスライド動作を許容することを特徴とする紙幣識別装置。
【請求項２】
前記回転つまみのつまみ部分は、突起量の少ない形状に形成されていることを特徴とする請求項１記載の紙幣識別装置。
【請求項３】
前記ロック盤は、前記第１の回転位置で前記ラッチレバーと当接する外周部に突起を有し、前記ラッチレバーの動きをロックするために前記第２の回転位置から回転されたときにクリック感が得られるようにしたことを特徴とする請求項１記載の紙幣識別装置。
【発明の詳細な説明】
【０００１】
【発明の属する技術分野】
本発明は紙幣識別装置に関し、特に自動販売機、券売機、現金自動預け払い機などに搭載されている紙幣識別装置に関する。
【０００２】
【従来の技術】
自動販売機は、投入された紙幣を識別し、商品を購入した後に、紙幣収納装置に収納するようにした紙幣識別装置を搭載している。この紙幣識別装置の概観を図７および図８に示す。
【０００３】
図７は紙幣識別機を正面側から見た斜視図、図８は紙幣識別機を背面側から見た斜視図である。
紙幣識別装置１００は、自動販売機の正面の扉の内側から取り付けられるもので、正面に紙幣を投入するための紙幣投入口１０１を有している。その紙幣投入口１０１は、背面側に配置されて紙幣投入口１０１より投入された紙幣の真贋判定を行う紙幣識別ユニット１０２に接続されている。紙幣識別ユニット１０２は、投入された紙幣を収納しておく紙幣収納部１０３とともにフレームユニット１０４に装着されて、紙幣識別装置１００を構成している。
【０００４】
紙幣収納部１０３は、フレームユニット１０４に対して容易に着脱できるように、１対のラッチレバーが設けられている。このラッチレバー１０５は、紙幣収納部１０３の左右の側方にそれぞれ突出状態で設けられたラッチ部を有し、紙幣収納部１０３をフレームユニット１０４に装着したときは、そのラッチ部が内側に折り曲げられたフレームユニット１０４の縁部に係止されて紙幣収納部１０３がフレームユニット１０４に固定されるようになっている。紙幣収納部１０３をフレームユニット１０４から取り外すときは、紙幣収納部１０３にあけられた窓を介して指で１対のラッチレバー１０５を内側に近づけるように摘まむことで、それぞれのラッチレバー１０５が内側にスライドして側方に突出されていたラッチ部が内側に待避し、これによってラッチ部がフレームユニット１０４の縁部から外れ、ラッチレバー１０５を摘まんだまま紙幣収納部１０３を手前に引っ張り出すことによって紙幣収納部１０３を簡単にフレームユニット１０４から取り外すことができる。
【０００５】
また、紙幣収納部１０３およびフレームユニット１０４には金具が設けられていて、そこに南京錠１０６を通して施錠するようになっている。これにより、紙幣収納部１０３をフレームユニット１０４から容易に取り外すことができないようにすることができ、これによって紙幣盗難防止を図っていた。
【０００６】
【発明が解決しようとする課題】
しかしながら、南京錠によるロック機構だと、日常の紙幣回収作業において、鍵の開け閉めに手間がかかり、盗難防止効果が高い反面、その煩わしさから、ロック機構があっても使用されない場合が多いという問題点があった。そこで、自動販売機の扉をバールなどでこじ開けられ、扉の隙間から手を挿入し紙幣を抜き取るといった盗難行為を想定した場合に、ある一定の盗難防止効果があり、紙幣回収操作性への影響が少ないロック機構が望まれていた。
【０００７】
本発明はこのような点に鑑みてなされたものであり、紙幣盗難抑止機能と、日常のスムースな紙幣回収作業とを図ることができる紙幣識別装置を提供することを目的とする。
【０００８】
【課題を解決するための手段】
本発明では上記問題を解決するために、投入口より投入された紙幣を識別する紙幣識別ユニットが取り付けられているフレームユニットに、識別された紙幣を収納する紙幣収納部が着脱可能に設けられている紙幣処理装置において、前記紙幣収納部の両側方からラッチ部がそれぞれ突出状態になっていて前記紙幣収納部を前記フレームユニットに装着したときは前記フレームユニットの縁部を内側に折り曲げ形成した係止部に係止され、互いに内側へスライドされることによってラッチ部がそれぞれ前記係止部から外れる方向に移動する１対のラッチレバーと、前記ラッチレバーの離間距離にほぼ等しい直径を有するとともに直径方向の両端には前記ラッチレバーがスライドできる量だけカットしたカット部を有する外周形状のロック盤が前記ラッチレバーの間に回転つまみにより回動可能に設けられているロック機構と、を備え、前記ロック機構は、第１の回転位置で前記ロック盤が前記ラッチレバーに当接して前記ラッチレバーのラッチ解除の方向への動きをロックし、第２の回転位置で前記ラッチレバーが前記カット部までのスライド動作を許容することを特徴とする紙幣識別装置が提供される。
【０００９】
このような紙幣識別装置によれば、紙幣収納部を装着しているときには、ラッチ部が紙幣収納部をフレームユニットに係止し、加えて、ラッチ部をロック機構でロックできるようにしてある。これにより、紙幣収納部をフレームユニットから取り外すときには、紙幣収納部のラッチ部が通常の１操作では解除されず、ロック機構の解除およびラッチ部の解除の２操作が必要であることから、扉の隙間から手を挿入した場合のラッチ部の解除が困難である一方、扉を開けてのラッチ部の解除は簡単に行うことができる。したがって、紙幣盗難抑止機能と、日常のスムースな紙幣回収作業の両立を図ることができ、使用者は、日常の回収業務の煩わしさを感じずに、一定の盗難の危険性を回避することができる。
【００１０】
【発明の実施の形態】
以下、本発明の実施の形態を図面を参照して詳細に説明する。
図１は本発明による紙幣識別装置を示す概観斜視図、図２は紙幣収納部の概観斜視図、図３は紙幣収納部のロック機構を示す部分拡大斜視図である。
【００１１】
紙幣識別装置１は、図１に示したように、自動販売機の正面側に設けられた紙幣投入口より投入された紙幣を取り込んで真贋判定を行う紙幣識別ユニット２がフレームユニット３に固定されており、その紙幣搬送下流側には、真贋判定された紙幣を収納しておく紙幣収納部４がフレームユニット３に着脱自在に取り付けられている。
【００１２】
紙幣収納部４は、図２に示したように、紙幣識別ユニット２より搬送されてきた紙幣を積み重ね保存しておくスタッカ５と、このスタッカ５内にて積み重ねられた紙幣を保持する押え板６と、この押え板６とスタッカ５の底部との間に配置されて積層された紙幣がスタッカ５の中で遊動しないように紙幣押し込み開口部の縁部に押え付けるように押え板６に圧力を加えるコイルばね７と、フレームユニット３への着脱を容易にするラッチレバー８と、このラッチレバー８が動かないようロックする回転つまみ９とを備えている。
【００１３】
ラッチレバー８は、スタッカ５に取り付けられた状態では、その弾性によって、スタッカ５の左右の側方にそれぞれ突出状態になっているラッチ部１０を有している。紙幣収納部４をフレームユニット３に装着したときのラッチ部１０の対応位置には、フレームユニット３の縁部を内側に折り曲げ形成した係止部１１が設けられている。したがって、紙幣収納部４をフレームユニット３に装着するときは、ラッチ部１０のテーパ側面がフレームユニット３の係止部１１によって内方へ押し込まれ、紙幣収納部４をフレームユニット３に完全に装着したときには、ラッチ部１０の上面が係止部１１を乗り越え、ラッチレバー８の弾性によってラッチ部１０が外側に移動し、係止部１１に係止される。
【００１４】
回転つまみ９は、図３に示したように、ラッチレバー８の間にてスタッカ５の底部の外側に回動可能に設けられている。回転つまみ９は、その回転位置によってラッチレバー８のスライド量を規制することができるような形状を有するロック盤１２を有している。すなわち、このロック盤１２は、ラッチレバー８の段差部１３間の距離にほぼ等しい直径を有し、これら段差部１３に対向する側をラッチレバー８のスライド量だけカットしたカット部１４を有している。
【００１５】
次に、以上のような構成の紙幣収納部４をフレームユニット３から取り外す場合の具体的な操作について説明する。
図４は紙幣収納部の取り外し手順を示す紙幣識別装置の斜視図である。
【００１６】
紙幣収納部４をフレームユニット３から取り外すときには、まず、回転つまみ９を解錠位置、すなわちラッチレバー８の段差部１３とロック盤１２のカット部１４とが整列する回転位置まで回転しておく。その状態で、各ラッチレバー８を親指と人差し指とを使って摘まむ。これにより、各ラッチレバー８は、矢印ａで示したように、互いに内側にスライドし、そのラッチ部１０はそれぞれ内側に移動してフレームユニット３の係止部１１から外れる。ここで、ラッチレバー８を摘まんだまま、矢印ｂの方向に引き起こして図示の状態にし、その後、矢印ｃで示した方向に引き上げることによって、紙幣収納部４をフレームユニット３から取り外すことができる。
【００１７】
次に、回転つまみ９による紙幣収納部４のロック機構について説明する。
図５はロック機構を説明する図であって、（Ａ）はラッチレバーの施錠状態を示し、（Ｂ）はラッチレバーの解錠状態を示している。
【００１８】
スタッカ５にスライド可能に設けられるラッチレバー８は、Ｌ型に屈曲されて一端がスタッカ５の側部に固定されるフック１５を有し、屈曲部がラッチ部１０を構成し、他端が指を挿入する穴１６と回転つまみ９のロック盤１２が回動する空間を形成する段差部１３とを有していて、弾性のあるプラスチックにより一体に形成されている。
【００１９】
ラッチレバー８の動きをロックするときには、（Ａ）に示したように、回転つまみ９を回転させて、ロック盤１２の長手方向をラッチレバー８のスライド方向に一致させる。これにより、ロック盤１２の長手方向端部がラッチレバー８の段差部１３と係合し、ラッチレバー８を矢印ａで示した方向にスライドするのを阻止する。
【００２０】
また、ラッチレバー８のロックを解除するには、（Ｂ）に示したように、回転つまみ９を回転させて、ロック盤１２の長手方向をラッチレバー８のスライド方向と直角の向きにする。これにより、ロック盤１２のカット部１４とラッチレバー８の段差部１３との間に隙間ができるので、ラッチレバー８を矢印ｄで示した両方向にスライドすることができるようになる。ラッチレバー８の穴１６に指を挿入して摘まむと、ラッチレバー８の他端側がスタッカ５の中央に向かって水平方向にスライドすることができるので、ラッチ部１０がスタッカ５の方へ移動することによってフレームユニット３の係止部１１から外れ、ラッチレバー８のロックが解除される。
【００２１】
このように、回転つまみ９を回転させることで、容易にラッチレバー８を施錠または解錠することができ、ラッチレバー８を施錠することで、ラッチレバー８の操作だけでは、紙幣収納部４を開けることができないようになる。
【００２２】
図６は回転つまみの詳細を示す斜視図である。
回転つまみ９は、手探りで操作しようとした場合には掴みにくく、目視で確認して操作する場合には不自由なく掴めるような突起量の少ないつまみ部分１７を有している。
【００２３】
また、回転つまみ９のロック盤１２の長手方向外周部には、突起１８が突設されている。ラッチレバー８は矢印ｄ方向に弾性を有しているので、回転つまみ９を施錠位置に回転するときに、ロック盤１２の長手方向外周部に設けられたそれぞれ２つの突起１８の内、回転方向前方側の突起１８がまずラッチレバー８の段差部１３に当たって段差部１３を外側方向へ押し出し、さらに回転させて突起１８が段差部１３から離れようとすると、ラッチレバー８も一緒にその弾性によって押し出された分だけ戻る。さらに回転させようとすると、回転方向後方側の突起１８が段差部１３に当たって回転が重くなるので、回転つまみ９が施錠位置まで回転したことを知ることができる。このように、突起１８を設けたことによって、回転つまみ９でラッチレバー８をロックするときに、適度なクリック感が得られるようになる。
【００２４】
【発明の効果】
以上説明したように、本発明では、フレームユニットに紙幣収納部を係脱可能にするラッチ部のロック機構を備える構成にした。ロック機構を解除しないとラッチ部が動かないように、２段アクション構造とすることで、通常の着脱による開け閉めでは、ロック機構およびラッチ部の解除を簡単に操作できるが、扉の隙間から手を挿入して紙幣を盗難しようとするような場合には、簡単には開けられなくなる。これにより、紙幣盗難抑止機能と、日常のスムースな紙幣回収作業の両立を図ることができ、本発明による紙幣識別装置を搭載した自動販売機の管理者は、日常の紙幣回収業務の煩わしさを感じずに、一定の盗難の危険性を回避することができる。
【図面の簡単な説明】
【図１】本発明による紙幣識別装置を示す概観斜視図である。
【図２】紙幣収納部の概観斜視図である。
【図３】紙幣収納部のロック機構を示す部分拡大斜視図である。
【図４】紙幣収納部の取り外し手順を示す紙幣識別装置の斜視図である。
【図５】ロック機構を説明する図であって、（Ａ）はラッチレバーの施錠状態を示し、（Ｂ）はラッチレバーの解錠状態を示している。
【図６】回転つまみの詳細を示す斜視図である。
【図７】紙幣識別機を正面側から見た斜視図である。
【図８】紙幣識別機を背面側から見た斜視図である。
【符号の説明】
１  紙幣識別装置
２  紙幣識別ユニット
３  フレームユニット
４  紙幣収納部
５  スタッカ
６  押え板
７  コイルばね
８  ラッチレバー
９  回転つまみ
１０  ラッチ部
１１  係止部
１２  ロック盤
１３  段差部
１４  カット部
１５  フック
１６  穴
１７  つまみ部分
１８  突起
【図１】
0004419345.tif 000002
【図２】
0004419345.tif 000003
【図３】
0004419345.tif 000004
【図４】
0004419345.tif 000005
【図５】
0004419345.tif 000006
【図６】
0004419345.tif 000007
【図７】
0004419345.tif 000008
【図８】
0004419345.tif 000009